【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
再閉可能な容器蓋であって、
蓋面を備え、前記蓋面は、上側および下側と、周端縁と、全体的または部分的に円周状の少なくとも１つの脆弱な輪郭によって範囲が定められる定量吐出孔用区域とを有し、
前記再閉可能な容器蓋はさらに、
締結手段によって蓋面に回動可能に固定されるレバータブを備え、前記レバータブは、定量吐出孔を形成する態様で前記定量吐出孔用区域を少なくとも部分的に開封するためのものであり、第１の端部および反対側の第２の端部を有し、
前記第１の端部は、オープナー位置では、前記定量吐出孔用区域の一部と少なくとも部分的に重なるよう導くことができるか、または、少なくとも部分的に重なるような位置にあり、
前記第２の端部は、前記第１の端部に対して前記締結手段の反対側に存在し、
前記レバータブは、前記第２の端部においてまたは前記第２の端部に隣接してクロージャモジュールを有し、前記クロージャモジュールは、クロージャカラーを備え、
前記クロージャカラーは、前記蓋面の上側に載るよう導かれ得るかまたは前記蓋面の上側に載り、クロージャ位置では、前記定量吐出孔および再閉可能な孔クロージャに沿って延在する、再閉可能な容器蓋。
【請求項２】
前記定量吐出孔用区域に沿って、部分的または全体的に円周方向に延在する前記蓋面の上側に少なくとも１つのビードをさらに含む、請求項１に記載の容器蓋。
【請求項３】
前記ビードは、前記定量吐出孔用区域に隣接する、請求項２に記載の容器蓋。
【請求項４】
前記クロージャカラーは、前記封止部は、前記蓋面の上側に載るよう導くことができるかまたは前記蓋面の上側に載る少なくとも１つの封止部を有する、請求項１から３のいずれか１項に記載の容器蓋。
【請求項５】
前記クロージャカラーは、前記定量吐出孔に隣接して前記蓋面の上側に載るよう導くことができるかまたは前記蓋面の上側に載る少なくとも１つの円周状の封止部を有する、請求項４に記載の容器蓋。
【請求項６】
前記封止部は、封止するように前記ビードと相互作用するか、または封止するように前記ビードと相互作用するよう導くことができる、請求項４または５に記載の容器蓋。
【請求項７】
前記封止部および封止構造は、
弾性封止体と、
特にこの弾性封止体に接して、頂部を有し前記弾性封止体の方向に面するビードと、そこから反対方向に延在する肩部とを含む封止支持部とを備え、
前記ビードに面する前記弾性封止体は、第１のくさび状の弾性リブ、およびそれから距離を置いて第２のくさび状の弾性リブを有し、前記第１および第２のくさび状の弾性リブは、前記ビードの方向に先細になっており、かつ、前記ビードの前記頂部から離れて延在する反対のビード肩部において、互いに接するかおよび／または互いに接するように導かれ、
前記弾性封止体は、前記第２の弾性リブの方向に対して、前記第１の弾性リブから間隔を空けた第１の封止壁と、前記第１の弾性リブとは反対方向に、前記第２の弾性リブから間隔を空けた第２の封止壁とをさらに有し、
前記第１および第２の封止壁は、それぞれ、前記第１および第２の弾性リブよりも前記ビードの前記頂部からさらに間隔が空けられているとともに、前記弾性リブ同士が前記ビード肩部に接するときに前記封止支持部に接する、請求項５または６に記載の再閉可能な容器蓋。
【請求項８】
前記クロージャ位置における前記クロージャカラーは、前記蓋面の上面に配置されると、封止する態様で、前記定量吐出孔に沿って延在する、請求項１から７のいずれか１項に記載の容器蓋。
【請求項９】
前記再閉可能な孔クロージャは、前記クロージャカラーによってフレーミングされる、請求項１から８のいずれか１項に記載の容器蓋。
【請求項１０】
前記クロージャモジュールまたはクロージャカラーは第３の阻止装置を有し、前記第３の阻止装置は、前記第３の阻止装置を操作することによって、前記クロージャモジュールが、前記定量吐出孔に接続され得るかまたは接続されるように、前記蓋面の上側に面する側に位置し、
前記クロージャカラーは、部分的または全体的に、予応力を受けて前記蓋面の上側に載る、請求項１から９のいずれか１項に記載の容器蓋。
【請求項１１】
前記クロージャモジュールは、前記定量吐出孔に不可逆的に接続され得るかまたは接続される、請求項１０に記載の容器蓋。
【請求項１２】
前記容器蓋は飲料用缶の蓋である、請求項１から１１のいずれか１項に記載の容器蓋。
【請求項１３】
前記定量吐出孔用区域は刻み目パネルであり、前記脆弱な輪郭は刻み目輪郭である、請求項１から１２のいずれか１項に記載の容器蓋。
【請求項１４】
前記再閉可能な孔クロージャは、ヒンジまたはフィルムヒンジによって前記クロージャカラーに接続されるかまたは接続することができる蓋パネルであるかまたは蓋パネルを含む、請求項１から１３のいずれかに記載の容器蓋。
【請求項１５】
前記蓋面の上側に少なくとも１つの凹部をさらに含み、前記凹部は、前記レバータブが前記オープナー位置にある場合、その第２の端部と少なくとも部分的に重なる、請求項１から１４のいずれかに記載の容器蓋。
【請求項１６】
前記レバータブは、好ましくは金属からなる保持要素を有し、これによって、前記レバータブの前記第１の端部が前記締結手段によって前記蓋面に固定される、請求項１から１５のいずれかに記載の容器蓋。
【請求項１７】
前記レバータブの前記第１の端部は保持用舌状部に射出成形される、請求項１６に記載の容器蓋。
【請求項１８】
前記保持用舌状部に射出成形される前記レバータブの前記第１の端部は、前記クロ−ジャカラーである、請求項１７に記載の容器蓋。
【請求項１９】
再閉可能な容器であって、
容器本体と、
前記容器本体に液密の態様で接続される、請求項１から１８のいずれか１項に記載の容器蓋とを含む、再閉可能な容器。
【請求項２０】
前記容器は飲料用缶である、請求項１９に記載の容器。
【請求項２１】
請求項１から１８のいずれか１項に記載の容器蓋を用いた、再閉可能な容器の製造方法。
【請求項２２】
請求項１から１８のいずれか１項に記載の容器蓋を用いた、再閉可能な飲料用缶の製造方法。
【請求項２３】
請求項１９または２０に記載の再閉可能な容器を製造する方法であって、
ａ）底部を含み、流体を収容するための容器本体を設けるステップと、
ｂ）容器蓋を設けるステップとを含み、前記容器蓋は、上側および下側、周端縁、ならびに、少なくとも１つの全体的または部分的に円周状の脆弱な輪郭によって範囲が定められる定量吐出孔用区域を有する蓋面と、レバータブを取付けるための締結手段とを有し、
前記方法はさらに、
ｃ）定量吐出孔を形成する態様で前記定量吐出孔用区域を少なくとも部分的に開封するための前記レバータブを設けるステップを含み、前記レバータブは、第１の端部と、クロージャモジュールを有する反対側の第２の端部とを含み、前記クロージャモジュールは、クロージャカラーおよび、必要に応じて再閉可能な孔クロージャおよび保持要素を含み、前記保持要素は、前記第１の端部に接続されるか接続可能であり、かつ、前記締結手段のための取付け位置を前記第２の端部の方向に有し、
前記方法はさらに、
ｄ）前記容器本体を流体で満たすステップと、
ｅ）前記容器蓋を前記容器本体に取付けるステップと、
ｆ）前記締結手段によって前記取付け位置を通じて前記レバータブを前記容器蓋に固定するステップと、
ｇ）必要に応じて、前記再閉可能な孔クロージャを前記レバータブの前記クロージャモジュールに取付けるステップとを含む、方法。
【請求項２４】
請求項１９または２０に記載の再閉可能な容器を製造する方法であって、
ｉ）底部を含み、流体を収容するための容器本体を設けるステップと、
ｉｉ）容器蓋を設けるステップとを含み、前記容器蓋は、上側および下側、周端縁、ならびに、少なくとも１つの全体的または部分的に円周状の脆弱な輪郭によって範囲が定められる定量吐出孔用区域を有する蓋面と、レバータブを取付けるための締結手段とを含み、前記レバータブは、第１の端部と、クロージャモジュールを有する反対側の第２の端部とを含み、前記クロージャモジュールは、クロージャカラーおよび、必要に応じて再閉可能な孔クロージャおよび保持要素を含み、前記保持要素は、前記第１の端部に接続されるか接続可能であり、かつ、前記締結手段のための取付け位置を前記第２の端部の方向に有し、
前記方法はさらに、
ｉｉｉ）前記容器本体を流体で満たすステップと、
ｉｖ）前記容器蓋を前記容器本体に取付けるとともに、前記締結手段によって前記取付け位置を通じて前記レバータブを前記容器蓋に固定するステップと、
ｖ）必要に応じて、前記再閉可能な孔クロージャを前記レバータブの前記クロージャモジュールに取付けるステップとを含む、方法。
【請求項２５】
請求項１９または２０に記載の再閉可能な容器を製造する方法であって、
１）底部のない容器本体を設けるステップと、
２）前記容器本体に底部を設けるステップと、
３）容器蓋を設けるステップとを含み、前記容器蓋は、上側および下側、周端縁、ならびに、少なくとも１つの全体的または部分的に円周状の脆弱な輪郭によって範囲が定められる定量吐出孔用区域を有する蓋面と、レバータブを取付けるための締結手段とを含み、
前記方法はさらに、
４）前記定量吐出孔を形成する態様で前記定量吐出孔用区域を少なくとも部分的に開封するための前記レバータブを設けるステップを含み、前記レバータブは、第１の端部と、クロージャモジュールを有する反対側の第２の端部とを含み、前記クロージャモジュールは、クロージャカラーおよび、必要に応じて再閉可能な孔クロージャおよび保持要素を含み、前記保持要素は、前記第１の端部に接続されるかまたは接続可能であり、かつ前記締結手段のための取付け位置を前記第２の端部の方向に有し、
前記方法はさらに、
５）前記容器蓋を前記容器本体に取付けるステップと、
６）前記締結手段によって前記取付け位置を通じて前記レバータブを前記容器蓋に固定するステップと、
７）必要に応じて、前記再閉可能な孔クロージャを前記レバータブの前記クロージャモジュールに取付けるステップと、
８）前記容器本体を流体で満たすステップと、
９）前記底部を前記容器本体に取付けるステップとを含む、方法。
【請求項２６】
請求項１９または２０に記載の再閉可能な容器を製造する方法であって、
Ａ）底部のない容器本体を設けるステップと、
Ｂ）前記容器本体に底部を設けるステップと、
Ｃ）容器蓋を設けるステップとを含み、前記容器蓋は、上側および下側、周端縁、ならびに、少なくとも１つの全体的または部分的に円周状の脆弱な輪郭によって範囲が定められる定量吐出孔用区域を有する蓋面と、レバータブを取付けるための締結手段とを含み、前記レバータブは、第１の端部と、クロージャモジュールを有する反対側の第２の端部とを含み、前記保持要素は、前記第１の端部に接続されるか接続可能であり、かつ、前記締結手段のための取付け位置を前記第２の端部の方向に有し、
前記方法はさらに、
Ｄ）前記容器蓋を前記容器本体に取付けるとともに、前記締結手段によって取付け位置を通じて前記レバータブを前記容器蓋に固定するステップと、
Ｅ）必要に応じて、前記再閉可能な孔クロージャを前記レバータブの前記クロージャモジュールに取付けるステップと、
Ｆ）前記容器本体を流体で満たすステップと、
Ｇ）前記底部を前記容器本体に取付けるステップとを含む、方法。
【請求項２７】
前記レバータブは、クロージャカラーを形成する態様で、レバータブの第１の端部の領域において、保持要素をプラスチック材料で外側被覆することによって得られる、請求項２３から２６のいずれか１項に記載の方法。
【請求項２８】
再閉可能な容器のための封止構造であって、
弾性封止体と、
特に前記弾性封止体に接して、頂部を有し前記弾性封止体の方向に面するビードと、そこから反対方向に延在する肩部とを含む封止支持部とを備え、
前記ビードに面する前記弾性封止体は、第１のくさび状の弾性リブ、およびそれから距離を置いて第２のくさび状の弾性リブを有し、前記第１および第２のくさび状の弾性リブは、前記ビードの方向に先細になっており、かつ、前記ビードの前記頂部から離れて延在する反対のビード肩部において、互いに接するかおよび／または互いに接するように導かれ、
前記弾性封止体は、前記第２の弾性リブの方向に対して、前記第１の弾性リブから間隔を空けた第１の封止壁と、前記第１の弾性リブとは反対方向に、前記第２の弾性リブから間隔を空けた第２の封止壁とをさらに有し、
前記第１および第２の封止壁は、それぞれ、前記第１および第２の弾性リブよりも前記ビードの前記頂部からさらに間隔が空けられているとともに、前記弾性リブ同士が前記ビード肩部に接するときに前記封止支持部に接する、封止構造。
【請求項２９】
請求項２８に記載の封止構造を用いた、再閉可能な容器蓋。